(57)【要約】【課題】  消去を必要とする幅に応じて、その幅に近い本体の部分を選択し使用することにより、能率的且つ無駄の少ない消去が可能な機能を持つ消しゴムを提供する。【解決手段】  消しゴム本体の外周に、例えば選択図の１〜４、５〜１０、１１〜１６のように多くの異なる幅の頂陵部を持たせることにより、その中の適した幅の辺を選択し使用することで、消したい幅を能率的且つ無駄の少ない消去を可能とすることを特徴とする。【選択図】図１
2010047001.tif 000002
【特許請求の範囲】
【請求項１】
字消し部の幅になる頂陵部を、本体の外周に多数設け、必要とする消し幅の頂陵部を、適時選択し使用できることを特徴とする消しゴム。
【発明の詳細な説明】
【技術分野】
【０００１】  本発明は、多くの字消し幅を外周の頂陵部に設けた消しゴムに関するものである。
【背景技術】
【０００２】  従来、消しゴムは直方体状をなすものが広く用いられてきた。【０００３】  しかし、近年、細部を消去する角部を８カ所以上設けた消しゴムも知られてきた。
【特許文献１】  特開２００４−３４６２４
【特許文献２】  特開２００５−２３１３７６
【特許文献３】  特開２００７−１５２７４６
【０００４】  角部は細かい部分を消すことには有効であるが、現実に消す場面では、点や細い線以外に、異なる幅の消去を要する場合が多い。【０００５】  未使用時の角部は細部を消去できるが、使用する度に面が次第に拡大し、その幅を一定に保つことは不可能である。【０００６】  消去を必要とする幅をその都度選択できないので、消去したいスペースを能率的且つ本体の無駄のなく使用することが、現状では不可能である。
【発明の開示】
【発明が解決しようとする課題】
【０００７】  現状の消しゴムでは、角部を多くしても必要とする幅を設定しておくことも、適した幅を選択し使用することも不可能である。【０００８】  本発明は、消しゴム本体に種々の幅の部分を設定に、使用者の必要に応じてその部分を選択し、消去を可能にする消しゴムを提供するすることを課題とする。
【課題を解決するための手段】
【０００９】  消しゴム本体の外周に、突出した種々の幅の頂陵部を設けることを特徴とする。【００１０】  突出した頂陵部は、同一の辺を直角方向に使用している限り、常に一定の太さが保たれる特徴を有する。
【発明の効果】
【００１１】  本発明によると、必要に応じた幅の辺の選択により、適した幅の能率的消去が可能にする。【００１２】  その上、必要に応じた幅の辺の選択は、不必要な部分の消去に要する本体の摩滅を無くし、資源の無駄づかいを減少する。
【発明を実施するための最良の形態】
【００１３】  以下、本発明の実施の形態を図面に基づき詳細に説明する。【００１４】  図１は、本発明の第１実施形態の消しゴムの斜視図、図２は正面図、図３は背面図、図４は左側面図、図５は右側面図、図６は平面図、図７は底面図で、型枠にプラスチック又はゴムの材質を流し込んで一体成形により形成する。【００１５】  第１図の突出している頂陵部（１）、（２）、（３）、（４）に４種の幅を設定することにより、使用し続けても４カ所で一定の異なる幅の消去が可能な消しゴムになる。【００１６】  図８は、本発明の第２実施形態の消しゴムの斜視図、図９は正面図、図１０は背面図、図１１は左側面図、図１２は右側面図、図１３は平面図、図１４は底面図で、型枠にプラスチック又はゴムの材質を流し込んで一体成形により形成する。【００１７】  第８図の突出している頂陵部（５）、（６）、（７）、（８）、（９）、（１０）に６種の幅を設定することにより、使用し続けても６カ所で一定の異なる幅の消去が可能な消しゴムになる。【００１８】  図１５は、本発明の第３実施形態の消しゴムの斜視図、図１６は正面図、図１７は背面図、図１８は左側面図、図１９は右側面図、図２０は平面図、図２１は底面図で、型枠にプラスチック又はゴムの材質を流し込んで一体成形により形成する。【００１９】  第１５図の突出している頂陵部（１１）、（１２）、（１３）、（１４）、（１５）、（１６）に６種の幅を設定することにより、使用し続けても６カ所で一定の異なる幅の消去が可能な消しゴムになる。【００２０】  本発明の第２実施形態の消しゴムは、第１実施形態と比較して材料の取り都合が良くないが、多種の幅が設定出来る。【００２１】  本発明の第３実施形態の消しゴムは、第１実施形態、第１実施形態と比較して材料の取り都合は良くないが、同幅保守の有効部分が長く、持ちやすい。【００２２】  本発明は、第１実施形態を他の多角形にも変形可能で、それに伴い字消し幅の種類も増減できるある。【００２３】  本発明は、第２実施形態を他の星形にも変形可能で、それに伴い字消し幅の種類も増減できるある。【００２４】  本発明は、第３実施形態を他の三次元放射状の立体形にも変形可能で、それに伴い字消し幅の種類も増減できるある。【００２５】  本発明は、角部の使用により設定された幅が多少変化するが、直角方向の使用によりシャープな各部が容易に復元するので、従来以上に細部の消去機能を保持できる。
【図面の簡単な説明】
【００２６】
【図１】本発明の第１実施形態の消しゴムを示す斜視図である。
【図２】図１に示す消しゴムの正面図である。
【図３】図１に示す消しゴムの背面図である。
【図４】図１に示す消しゴムの左側面図である。
【図５】図１に示す消しゴムの右側面図である。
【図６】図１に示す消しゴムの平面図である。
【図７】図１に示す消しゴムの底面図である。
【図８】本発明の第２実施形態の消しゴムを示す斜視図である。
【図９】図８に示す消しゴムの正面図である。
【図１０】図８に示す消しゴムの背面図である。
【図１１】図８に示す消しゴムの左側面図である。
【図１２】図８に示す消しゴムの右側面図である。
【図１３】図８に示す消しゴムの平面図である。
【図１４】図８に示す消しゴムの底面図である。
【図１５】本発明の第２実施形態の消しゴムを示す斜視図である。
【図１６】図１５に示す消しゴムの正面図である。
【図１７】図１５に示す消しゴムの背面図である。
【図１８】図１５に示す消しゴムの左側面図である。
【図１９】図１５に示す消しゴムの右側面図である。
【図２０】図１５に示す消しゴムの平面図である。
【図２１】図８に示す消しゴムの底面図である。
【符号の説明】
【００２７】１、２、３、４                      第１実施形態の頂陵部
５、６、７、８、９、１０            第２実施形態の頂陵部
１１、１２、１３、１４、１５、１６  第３実施形態の頂陵部
【図１】
2010047001.tif 000003
【図２】
2010047001.tif 000004
【図３】
2010047001.tif 000005
【図４】
2010047001.tif 000006
【図５】
2010047001.tif 000007
【図６】
2010047001.tif 000008
【図７】
2010047001.tif 000009
【図８】
2010047001.tif 000010
【図９】
2010047001.tif 000011
【図１０】
2010047001.tif 000012
【図１１】
2010047001.tif 000013
【図１２】
2010047001.tif 000014
【図１３】
2010047001.tif 000015
【図１４】
2010047001.tif 000016
【図１５】
2010047001.tif 000017
【図１６】
2010047001.tif 000018
【図１７】
2010047001.tif 000019
【図１８】
2010047001.tif 000020
【図１９】
2010047001.tif 000021
【図２０】
2010047001.tif 000022
【図２１】
2010047001.tif 000023